(57)【特許請求の範囲】
【請求項１】
段床部を有する建築構造物の施工方法であって、
柱に支持された複数の梁上に、段状の段床受を設けること、
該段床受上にプレキャストコンクリートの段床を設置すること、
前記柱の上端部の周囲に柱周辺カバー用段床を設置するととともに特定の
柱の近傍に段床が欠落した空間を設け、該特定の柱の上方に、支保工を設置すること、
該支保工を用いて、前記段床の上方に屋根を施工すること、
を含む、段床部を有する建築構造物の施工方法。
【請求項２】
前記柱周辺カバー用段床と柱の上端部の間の、段床が形成されていない部分へコンクリートを打設して前記段床の仕上げ施工をすること、
を含む、請求項１に記載の段床部を有する建築構造物の施工方法。
【請求項３】
段床部を有する建築構造物の施工方法であって、
柱に支持された複数の梁上に、段状の段床受を設けること、
該段床受上にプレキャストコンクリートの段床を設置すること、
前記段床上に、支保工を設置すること、
該支保工を用いて、前記段床の上方に屋根を施工すること、
を含み、
前記支保工の設置工事は、前記支保工を、前記段床上に設置する工事であり、
前記支保工は、前記段床上に設置された支保工受部材上に設置されることを特徴とする、段床部を有する建築構造物の施工方法。
【請求項４】
段床部を有する建築構造物であって、
柱に支持された複数の梁上に段状に設けられた段床受と、
該段床受上に設置されたプレキャストコンクリートの段床と、
前記柱の上端部の周囲に設置された柱周辺カバー用段床と、
前記段床の上方に施工された屋根と、
を備えており、
前記柱周辺カバー用段床間の、前記柱の上端部近傍には、コンクリートが打設されている、段床部を有する建築構造物。
【発明の詳細な説明】
【技術分野】
【０００１】
本発明は、段床部を有する建築構造物及びその施工方法に関するものである。
【背景技術】
【０００２】
スタジアムやホール等の客席を有する建築構造物においては、客席は、最後方上段からグラウンドやステージ等に向けて、下方に傾斜するように構築された、段床部に設置されることが多い。
【０００３】
図１２に、一般的な建築構造物における段床部１００の上面図を示す。段床部１００は、柱１０２、斜梁１０３、及び水平梁１０４を含む構造躯体上に設置されている。図１２においては、紙面右方向にグラウンドやステージ１０１が位置しており、柱１０２の高さは、グラウンドやステージ１０１に向かう方向Ｘに進むに従い、低くなっている。斜梁１０３は、柱１０２の柱頭間に架設されて、地盤に対して斜めになるように設置されている。水平梁１０４は、柱１０２や斜梁１０３間に、水平に架設されている。
このような構造躯体に対し、図１２においては、１５個の段床１０５が設置されている。図１３に示されるように、段床１０５は、例えば、２段の階段が一体となるように形成されている。段床１０５はプレキャストコンクリートとして製作されることが多く、重量があるために、クレーン等の揚重機を用いて設置する必要がある。クレーン等の運搬・揚重性能により、段床１０５の大きさが制約を受け、工期を短くするには一つの段床がなるべく大きくて同じサイズであると効率的であるが、建築構造物の段床部が平面的に大きい場合にはクレーン等が近くに接近できない場所が生じるため２段程度までが多い。
【０００４】
このような、段床部を有する建築構造物において、段床部の上方に屋根などの上部構造物を施工することがある。
例えば、特許文献１には、図１４に示されるような仮設支保工設備１１１を用いて、上部構造物１１５を上架する方法が開示されている。上部構造物１１５の施工時においては、基礎コンクリートの上部または柱・梁などの躯体１２１の部分の上部に、脚部固定設備１１７がアンカーボルト１２４で固定されている。仮設支保工設備１１１の下端は、脚部固定設備１１７に設置されている。上部構造物１１５の施工が完了すると、仮設支保工設備１１１は撤去される。
上記のような特許文献１に例として示される方法によって、斜梁の上方に上部構造物を施工する場合においては、上部構造物の施工後に段床を設置しようとすると、上部構造物が干渉して段床の揚重機による搬入、設置作業が困難となる。したがって、一般には、上部構造物は段床の設置後に施工される。
【先行技術文献】
【特許文献】
【０００５】
【特許文献１】特開２００１−２０７６４５号公報
【発明の概要】
【発明が解決しようとする課題】
【０００６】
図１４に示される仮設支保工設備１１１のような支保工を、通路など段床を設置しない躯体に設置する場合は特に問題とならないが、図１２に示される位置Ｐ１のような、段床部１００内に設置しなければならないことがある。このとき、位置Ｐ１は、近傍の段床１０５Ｖ、１０５Ｗの蹴上部１０５ｂを含んでいるため、支保工の底面を安定して段床１０５Ｖ、１０５Ｗ上に設置することが困難である。したがって、段床部１００内に支保工を設置する場合には、支保工設置位置に干渉する段床１０５Ｖ、１０５Ｗは段床１０５設置時には未設置としておき、支保工を、段床１０５Ｖ、１０５Ｗ上ではなく、水平梁１０４や斜梁１０３等の構造躯体に直接接続するのが望ましい。
しかし、この場合には、段床の設置作業を２段階に分けて行う必要があり、施工期間が長期にわたってしまう。また、上部構造物施工後の段床設置作業は、上部構造物を傷つけないように、上部構造物を避けながら、慎重に行う必要があり、通常よりも多くの作業時間が必要となるため、施工期間の長期化がより深刻な問題となる。
【０００７】
また、斜梁１０３の下は、室内空間として使用される場合がある。上記のように支保工設置中の、一部の段床１０５Ｖ、１０５Ｗが設置されていない状況で、降雨等によりこのような部分から水が流入すると、水は室内空間まで侵入するために、室内空間の内装が既設である場合には、内装に汚れや傷みが発生する。したがって、室内空間の内装工事は、２段階目の段床１０５Ｖ、１０５Ｗ設置後に行う必要がある。すなわち、内装工事を上部構造施工と並行して実施することができないため、作業計画を柔軟に立案することができない。また、内装工事の開始が遅れるため、施工期間が長期化する可能性もある。
【０００８】
本発明が解決しようとする課題は、施工期間を短縮可能な、段床部を有する建築構造物及びその施工方法を提供することである。
【課題を解決するための手段】
【０００９】
本発明は、上記課題を解決するため、以下の手段を採用する。すなわち、本発明による段床部を有する建築構造物の施工方法は、柱に支持された複数の梁上に、段状の段床受を設けること、該段床受上にプレキャストコンクリートの段床を設置すること、前記段床上、または、前記柱の上端部の周囲に柱周辺カバー用段床を設置するととともに該柱の上方に、支保工を設置すること、該支保工を用いて、前記段床の上方に屋根を施工すること、を含む。
このような構成によれば、支保工を、段床上、または、柱の上端部の周囲に柱周辺カバー用段床を設置するととともに柱の上方に設置するため、屋根の施工時には全ての段床が設置されている。したがって、従来のように段床施工の後に屋根を施工する際に、屋根を施工し支保工を撤去した後に、２段階目の段床設置作業を行う必要がなく、施工期間を短縮することができる。
また、屋根の施工中には全ての段床が設置されているため、未設置の段床が存在することに起因する、内部空間への水の侵入という問題を最低限に抑えることができる。したがって、屋根の施工と内部空間の内装工事を並行して行うことが可能となり、作業計画を柔軟に立案することができるとともに、施工期間を短縮することができる。
【００１０】
本発明の一態様においては、前記支保工の設置工事は、前記柱の周囲に前記柱周辺カバー用段床を設置するととともに該柱の上方に前記支保工を設置する工事であり、前記段床の仕上げ施工をすること、を含む。
このような構成によれば、支保工を柱の上方に設置するため、屋根の大きな荷重を柱に確実に伝達することが可能となり、また、地震時において屋根が揺れた場合においても、支保工と柱の接続による抵抗が期待できる。したがって、屋根施工時の安全性を高めることが可能となる。
また、柱周辺カバー用段床と柱の上端部の間等の、段床が形成されていない部分へのコンクリートの打設等の、段床の仕上げ施工をすることにより、既に設置した段床に連続した段床を形成することが可能となり、これにより、内部空間への水の浸入を防止することが可能となる。
【００１１】
本発明の一態様においては、前記支保工の設置工事は、前記支保工を、前記段床上に設置する工事であり、上記のような段床部を有する建築構造物の施工方法は、前記支保工は、前記段床上に設置された支保工受部材上に設置されることを特徴とする。
このような構成によれば、支保工は段床上に設置された支保工受部材上に設置されるため、支保工撤去と同時に支保工受部材を撤去すれば、２段階目の段床設置等の後施工が不要となる。したがって、施工期間を短縮することができる。
また、段床には欠落させる部分がないため、内部空間への水の浸入を、より効果的に防止することが可能となる。
また、支保工は段床上に設置された支保工受部材上に設置されるため、支保工の設置により段床を痛めることがない。更には、支保工受部材が、図１３に示される蹴上部１０５ｂ、１０５ｄと同等の高さを有するように形成して、支保工受部材の上面が踏面部１０５ａ、１０５ｃと同一平面を成すように、支保工受部材を設置した場合には、支保工を、踏面部１０５ａ、１０５ｃと支保工受部材の上面の連続した平面上に設置することが可能となる。したがって、屋根施工時の安全性を高めることが可能となる。
【００１２】
また、本発明による段床部を有する建築構造物は、段床部を有する建築構造物であって、柱に支持された複数の梁上に段状に設けられた段床受と、該段床受上に設置されたプレキャストコンクリートの段床と、前記柱の上端部の周囲に設置された柱周辺カバー用段床と、前記段床の上方に施工された屋根と、を備えており、前記柱周辺カバー用段床間の、前記柱の上端部近傍には、コンクリートが打設されている。
このような構成によれば、上記の施工方法が適用可能となる。
【発明の効果】
【００１３】
本発明によれば、施工期間を短縮可能な、段床部を有する建築構造物及びその施工方法を提供することが可能となる。
【図面の簡単な説明】
【００１４】
【図１】本発明の第１の実施形態として示した段床部を有する建築構造物の側面図である。
【図２】本発明の第１の実施形態として示した段床部を有する建築構造物の上面図である。
【図３】本発明の第１の実施形態として示した段床部を有する建築構造物の施工方法の施工手順を示す、（ａ）は段床部の側断面図、（ｂ）は上面図である。
【図４】本発明の第１の実施形態として示した段床部を有する建築構造物の施工方法の施工手順を示す、段床部の正面図である。
【図５】本発明の第１の実施形態として示した段床部を有する建築構造物の施工方法の施工手順を示す、（ａ）は段床部の側断面図、（ｂ）は上面図である。
【図６】本発明の第１の実施形態として示した段床部を有する建築構造物の施工方法の施工手順を示す、（ａ）は段床部の側断面図、（ｂ）は上面図である。
【図７】本発明の第１の実施形態として示した段床部を有する建築構造物の施工方法の施工手順を示す、段床部の正面図である。
【図８】本発明の第１の実施形態として示した段床部を有する建築構造物の施工方法の施工手順を示す、段床部の側断面図である。
【図９】本発明の第１の実施形態として示した段床部を有する建築構造物の施工方法の施工手順を示す、（ａ）は段床部の側断面図、（ｂ）は上面図である。
【図１０】本発明の第１の実施形態として示した段床部を有する建築構造物の施工方法の施工手順を示す、段床部の正面図である。
【図１１】本発明の第２の実施形態として示した段床部を有する建築構造物の施工方法の施工手順を示す、段床部の側断面図である。
【図１２】従来の段床部を有する建築構造物の上面図である。
【図１３】段床の斜視図である。
【図１４】従来の上部構造物を上架する方法を示す説明図である。
【発明を実施するための形態】
【００１５】
以下、本発明の実施形態について図面を参照して詳細に説明する。
【００１６】
図１は、本発明の第１の実施形態として示した段床部８を有する建築構造物１の側面図である。また、図２は、本発明の第１の実施形態として示した段床部８の上面図である。
【００１７】
本第１の実施形態、及び後述する第２の実施形態においては、建築構造物１が、グラウンド２を有するスタジアム１である場合を説明するが、建築構造物１はステージを有するホールや、スクリーンを備える映画館等、他の施設であっても構わない。以下、図１等に示される側面図において、グラウンド２側の方向を「前方」、その反対側を「後方」、前方と後方を結ぶ方向に水平面内で交差する方向を「横方向」と適宜称する。
【００１８】
スタジアム１は、柱４に支持された複数の斜梁５上に段状に設けられた段床受２０と、段床受２０上に設置されたプレキャストコンクリートの段床１０５、柱周辺カバー用段床１１と、段床１０５、柱周辺カバー用段床１１の上方に施工された屋根７と、を備えている。
【００１９】
より詳細には、スタジアム１は、基礎３と、基礎３上に立設された柱４、柱４間に架設された斜梁５、及び、図２に示される水平梁９を備えている。本実施形態においては、柱４は断面形状が円形の鋼管柱である。柱４の高さは、スタジアム１のグラウンド２に向かう方向Ｘ、すなわち前方に進むに従い、低くなっている。斜梁５は、柱４の柱頭間に架設されて、基礎３に対して高さ方向Ｚに角度がつけられて斜めになるように設置されている。水平梁９は、横方向に水平に延在するように、柱４や斜梁５間に架設されている。
【００２０】
このような、柱４、斜梁５、及び水平梁９により形成される構造躯体の後方には、屋根支持柱６が立設されており、屋根支持柱６の上部には屋根７が設置されている。屋根支持柱６は屋根７の後方端部近傍に接続されており、屋根７の反対側の端部は前方に突出するように、屋根７は設置されている。
【００２１】
斜梁５の上には、段床受２０が段状に、横方向に設けられており、段床受２０の上には、床面が後方に向けて階段状にせりあがるように、段床部８が設置されている。
【００２２】
図２に示されるように、段床部８は、図１３に示される段床１０５と、段床１０５とは異なる長さを有する柱周辺カバー用段床１１の、２種類の段床を組み合わせることにより形成されている。
【００２３】
段床１０５は、２段の階段が一体となるように形成されている。詳細には、段床１０５は、図１３に示されるように、水平な第１踏面部１０５ａ、第１踏面部１０５ａの一側辺から垂直に立ち上がる第１蹴上部１０５ｂ、第１蹴上部１０５ｂの上端辺から第１踏面部１０５ａとは反対側に水平に延在する第２踏面部１０５ｃ、及び、第２踏面部１０５ｃの第１蹴上部１０５ｂとは反対側の側辺から垂直に立ち上がる第２蹴上部１０５ｄを備えている。段床１０５の、段差方向Ｘ１に直交する方向Ｙ１の長さは、図２に示される、隣接する斜梁５の中心間の距離と同程度である。
【００２４】
各段床１０５は、図１３に示される段差方向Ｘ１が、図１、図２に示される方向Ｘに一致し、なおかつ、方向Ｙ１の両端に位置する端辺１０５ｅがそれぞれ、図２の方向Ｙ、すなわち横方向に隣接する斜梁５上に位置して、斜梁５間に架け渡されるように設置されている。
【００２５】
柱周辺カバー用段床１１は、図１３における方向Ｙ１の長さが段床１０５よりも短いことを除けば、段床１０５と同じ構造を有している。柱周辺カバー用段床１１は、図２に示されるように、段床１０５と同様に、第１踏面部１１ａ、第１蹴上部１１ｂ、第２踏面部１１ｃ、及び、第２蹴上部１１ｄを備えている。
【００２６】
図２に示されるように、段床部８は基本的には、段床１０５を敷き詰めることにより形成されているが、一部の特定の柱４Ａの近傍においては、特定の柱４Ａの上方を段床が覆わないように、短い柱周辺カバー用段床１１が設置されている。すなわち、特定の柱４Ａの上方に位置する段床の端部は、段床の一部が欠落しているように構成されている。この欠落部、すなわち柱周辺カバー用段床１１間の、柱４Ａの上端部近傍には、コンクリートが打設され、これにより、欠落部を補完して周囲の段床１０５及び柱周辺カバー用段床１１と連続した平面を形成するように、施工方法の説明において後述する第１及び第２打設部４０、４１が形成されている。ここで、特定の柱４Ａとは、本第１の実施形態における建築構造物の、後述する施工方法において、上方に上部支保工（支保工）が設置される柱である。
【００２７】
図１、図２に示される段床部８は、一列あたり１０面の踏面部１１ａ、１１ｃ、１０５ａ、１０５ｃを有している。すなわち、段床部８は、方向Ｘ上において第１及び第２打設部４０、４１が形成されていない部位においては、一列あたり５個の段床１０５及び柱周辺カバー用段床１１から、方向Ｘ上に第１及び第２打設部４０、４１が形成されている部位においては、一列あたり３個の段床１０５と、２個の第１及び第２打設部４０、４１から、それぞれ形成されている。段床１０５及び柱周辺カバー用段床１１はプレキャストコンクリートとして製作されている。段床部８の各踏面部１１ａ、１１ｃ、１０５ａ、１０５ｃには、図示しない椅子が設置される。
【００２８】
図１に示されるように、段床部８の下方には、屋内施設として使用可能な内部空間１２が形成されている。
【００２９】
次に、図３から図１０を用いて、上記の段床部８を有する建築構造物１の施工方法を説明する。図３から図１０の各図は、それぞれ、図１のＡ矢視部に関連する部位を、拡大して示したものである。本実施形態においては、図５等に示される上部支保工（支保工）３２は、柱４の上端部の周囲に柱周辺カバー用段床１１を設置するととともに柱４の上方に設置されている。
【００３０】
まず、柱４と斜梁５、及び水平梁９により、構造躯体を構築する。斜梁５は本実施形態においてはＨ型鋼であり、下フランジ５ａ、上フランジ５ｂ、及びウェブ５ｃを備えている。図３（ａ）に示されるように、柱４の上面は、斜梁５の取付角度によって切断された形状をしており、その上に上部鋼板２１が接合されている。上部鋼板２１の下方には、上部鋼板２１と平行に下部鋼板２２が接合されている。このような柱４の柱頭部に対して、柱４の前方と後方の各々から、斜めに角度をつけるように、斜梁５Ａ、５Ｂを接合する。すなわち、前方及び後方の斜梁５Ａ、５Ｂの上フランジ５ｂと上部鋼板２１が、また、前方及び後方の斜梁５Ａ、５Ｂの下フランジ５ａと下部鋼板２２が、それぞれ連続するように、柱４と斜梁５Ａ、５Ｂを接合する。また、柱４の柱頭部間を水平方向に架設するように、水平梁９を設置する。
【００３１】
柱４Ａの上には、下部支保工３０が設置されている。本実施形態においては、柱４Ａと下部支保工３０は、工場において予め接合された状態となっている。下部支保工３０は、柱４Ａと略同一の断面形状を有している。下部支保工３０の下端は柱４Ａの上端と対応するように、斜梁５の取付角度によって切断されたように形成されており、下部支保工３０が柱４Ａから鉛直方向に延在して位置するように、下部支保工３０の下端が上部鋼板２１上に設置されて、溶接により接合されている。
【００３２】
その後、柱４に支持された複数の斜梁５間に、横方向に、段状の段床受２０を設置する。具体的には、段床受２０の上面２０ａが水平となるように、段床受２０を位置づけて、段床受２０の下部を、斜梁５に接合する。
【００３３】
次に、段床受２０上にプレキャストコンクリートの段床１０５及び柱周辺カバー用段床１１を設置する。このとき、基本的には、段床１０５を敷き詰めることで段床部８を構築するが、図３（ａ）に例示されるような、下部支保工３０が設けられている一部の特定の柱４Ａの近傍においては、図３（ｂ）に示されるように、下部支保工３０を避けるため、短い柱周辺カバー用段床１１を使用する。すなわち、本施工工程においては、柱４Ａの上端部の周囲、すなわち、下部支保工３０の両横方向に短い柱周辺カバー用段床１１を設置して、隣接する柱周辺カバー用段床１１の横方向の端辺１１ｅ間の空間を、段床が欠落した欠落部Ｓとして、この欠落部Ｓ内に下部支保工３０が収まるように、柱周辺カバー用段床１１を設置する。
【００３４】
なお、本第１の実施形態においては、柱周辺カバー用段床１１の設置の前に、特定の柱４Ａの、すなわち下部支保工３０の周囲に、欠落部Ｓの底部を形成するように、欠落部底板２３を設置している。本第１の実施形態においては、段床１０５及び柱周辺カバー用段床１１は２つの踏面部を備えており２段の階段が一体となるように形成されているため、欠落部Ｓも２段にわたって形成されている。すなわち、各段に１枚ずつ、計２枚の欠落部底板２３が設置されている。各欠落部底板２３は、前後方に、図２等に示される踏面部１１ａ、１１ｃと同等もしくは踏面部１１ａ、１１ｃよりも大きく、また、横方向に、欠落部Ｓよりも大きな長さを備えており、欠落部底板２３の横方向の各側辺が、図３（ｂ）に示されるように、欠落部Ｓを挟んで横方向に隣接する柱周辺カバー用段床１１の各々の下面に位置している。以上の構成を備える欠落部底板２３によって、欠落部Ｓの底部が形成されている。
【００３５】
下部支保工３０の設けられている段に位置する欠落部底板２３の、特定の柱４Ａの上方には、下部支保工３０の断面形状と略同一形状を有する開口部２３ａが開設されており、下部支保工３０は、この開口部２３ａを挿通して、欠落部底板２３に溶接されている。図４に示されるように、欠落部底板２３は、支持板２４によって支持されるように接合される。支持板２４は、下部が柱４Ａに接合され、上部が欠落部底板２３の下面に垂直に接合されるように、柱４Ａと欠落部底板２３に接合される。
【００３６】
その後、図３（ａ）に示されるように、２枚の欠落部底板２３間、及び、欠落部底板２３と段床１０５間に、垂直方向にコンクリート止め鋼板２６を設置して、段床部８の上方と内部空間１２が連通している部分を遮蔽する。また、開口部２３ａが開設された欠落部底板２３上に、下部支保工３０のわずかに外側を囲うように、支保工周辺鋼板２５を設置する。
【００３７】
次に、図５に示されるように、下部支保工３０の上端近傍に、上部支保工（支保工）３２を設置する。また、下部支保工３０と、欠落部底板２３の開口部２３ａの周囲に位置する支保工周辺鋼板２５との間を埋めるように、例えばゴム系の素材で形成された緩衝材３１を設置する。
【００３８】
緩衝材３１を設置した後、欠落部Ｓの周囲に図示しない型枠を設置して、図６に示されるように、柱周辺カバー用段床１１の端部１１ｅ間の欠落部Ｓを埋めるように、柱周辺カバー用段床１１と下部支保工３０の間にコンクリートを打設し、第１打設部４０を形成する。図６、図７に示すように、第１打設部４０の各表面が、上下方向、及び両横方向に隣接する段床１０５及び柱周辺カバー用段床１１の各表面と略連続した平面を成すように、第１打設部４０を形成する。
【００３９】
段床１０５及び柱周辺カバー用段床１１の設置後に、上部支保工３２を用いて、図１に示されるように、段床部８の上方に屋根７を施工する。
【００４０】
屋根７の施工後に、下部及び上部支保工３０、３２を撤去する。このとき、図８に示すように、欠落部底板２３の上面の位置で下部支保工３０を切断する。下部支保工３０の切断はガス等により行う。下部支保工３０の撤去と同時に、下部支保工３０の周囲に設置された緩衝材３１も撤去する。欠落部底板２３よりも下方に位置する、下部支保工３０の下端部３０ａは撤去しない。第１打設部４０の、下部支保工３０及び緩衝材３１が撤去された部位には、開口部Ｓ１が形成される。
【００４１】
最後に、図９、１０に示されるように、下部支保工３０の撤去された部分にコンクリートを打設して、第２打設部４１を形成する。第２打設部４１は、下部支保工３０の下端部３０ａ内と、図８に示される第１打設部４０の開口部Ｓ１を埋めて、その外側表面４１ａが、第１打設部４０の表面と連続するように形成する。第１及び第２打設部４０、４１の形成を含む、段床の仕上げ施工によって、柱４Ａを挟んで位置する柱周辺カバー用段床１１間の各平面が連続し、下部及び上部支保工３０、３２が撤去された柱４Ａの上方にも段床が形成される。
【００４２】
次に、上記の第１の実施形態として示した、段床部８を有する建築構造物１及びその施工方法の作用、効果について説明する。
【００４３】
上記の施工方法においては、図５に示されるように、上部支保工３２を、段床１０５を設置した後に、柱４Ａの上端部の周囲に柱周辺カバー用段床１１を設置するととともに柱の４Ａ上端部に設置するため、図１に示される屋根７の施工時には全ての段床１１、１０５が設置されている。したがって、屋根７を施工し下部及び上部支保工３０、３２を撤去した後に、更なる段床設置作業を行う必要がなく、施工期間を短縮することができる。
【００４４】
また、第１及び第２打設部４０、４１の形成を含む、段床の仕上げ施工をすることにより、既に設置した段床に連続した段床を形成することが可能となり、これにより、内部空間１２への水の浸入を防止することが可能となる。
【００４５】
特に、屋根７の施工中には全ての段床１０５及び柱周辺カバー用段床１１が設置されており、また、図６に示されるように、柱周辺カバー用段床１１の端部の欠落部Ｓを埋めるように、柱周辺カバー用段床１１と下部支保工３０の間にコンクリートを打設して、第１打設部４０を形成するため、未設置の段床が存在することに起因する、図１に示される内部空間１２への水の侵入という問題が発生しない。したがって、屋根７の施工と内部空間１２の内装工事を並行して行うことが可能となり、作業計画を柔軟に立案することができるとともに、施工期間を短縮することができる。
【００４６】
また、図５に示されるように、上部支保工３２を柱４Ａの上方に設置するため、屋根の大きな荷重を柱４Ａに確実に伝達することが可能となり、また、地震時において屋根が揺れた場合においても、上部支保工３２、下部支保工３０と柱４Ａの接続による抵抗が期待できる。したがって、屋根施工時の安全性を高めることが可能となる。
【００４７】
次に、図１１を用いて、本発明の第２の実施形態として示した段床部を有する建築構造物及びその施工方法を説明する。第２の実施形態における建築構造物は、図１、２に示される第１の実施形態における建築構造物１とは、段床部５０に設置される段床は、全て、図１３に示されるような、段差方向Ｘ１に直交する方向Ｙ１の長さが、隣接する斜梁の中心間の距離と同程度である段床１０５であり、第１の実施形態として示した建築構造物において使用した、より短い柱周辺カバー用段床１１を使用しない点において異なっている。すなわち、本第２の実施形態として示した建築構造物の上面図は、従来の例として示した図１２と略同様となっている。また、第２の実施形態における施工方法は、第１の実施形態における施工方法とは、支保工５１を段床１０５上に設置する点において異なっている。
【００４８】
本第２の実施形態においては、屋根の施工前に、段床部５０に位置する全ての柱４の上部にわたって、段床に欠落部を作ることなく、すなわち、より短い柱周辺カバー用段床１１を使用することなく、長さ方向Ｙ１の長さが隣接する斜梁の中心間の距離と同程度である段床１０５を、段床部５０に敷き詰める。
【００４９】
その後、段床１０５上の、支保工５１の設置予定箇所に、支保工受部材５２を設置する。支保工受部材５２はプレキャストコンクリートとして製作されている。図１１においては、支保工５１は段床１０５Ａの、第１踏面部１０５ａと第２踏面部１０５ｃに跨って設置される。このため、支保工受部材５２は、段床１０５Ａの第１蹴上部１０５ｂと同等の高さを有するように形成されている。これにより、支保工受部材５２が第１踏面部１０５ａ上に設置された際には、支保工受部材５２の上面が第２踏面部１０５ｃと同一平面を成すようになっている。支保工受部材５２はボルト５３により、下に位置する段床１０５Ａ及び段床受２０に固定される。
【００５０】
支保工受部材５２の設置後に、支保工受部材５２上に支保工５１を設置する。屋根の施工が完了した後に、支保工５１を撤去し、ボルト５３を外して支保工受部材５２を撤去する。
【００５１】
このような施工方法においては、支保工５１を段床１０５上に設置するため、屋根の施工時には全ての段床１０５が設置されている。したがって、屋根を施工し支保工を撤去した後に、更なる段床設置作業を行う必要がなく、施工期間を短縮することができる。
【００５２】
また、屋根の施工中には全ての段床１０５が設置されており、また、段床１０５には欠落させる部分もないため、未設置の段床が存在することに起因する、内部空間への水の侵入という問題が発生しない。したがって、屋根の施工と内部空間の内装工事を並行して行うことが可能となり、作業計画を柔軟に立案することができるとともに、施工期間を短縮することができる。
【００５３】
また、支保工５１は段床１０５上に設置された支保工受部材５２上に設置されるため、支保工５１撤去と同時に支保工受部材５２を撤去すれば、２段階目の段床設置等の後施工が不要となる。したがって、施工期間を短縮することができる。
【００５４】
また、支保工５１は段床１０５上に設置された支保工受部材５２上に設置されるため、支保工５１の設置により段床１０５を痛めることがない。更には、支保工受部材５２が、第１蹴上部１０５ｂと同等の高さを有して、支保工受部材５２の上面が第２踏面部１０５ｃと同一平面を成すように形成されているので、支保工５１を、第２踏面部１０５ｃと支保工受部材５２の上面の連続した平面上に設置することが可能となる。したがって、屋根施工時の安全性を高めることが可能となる。
【００５５】
なお、本発明の段床部を有する建築構造物及びその施工方法は、図面を参照して説明した上述の実施形態に限定されるものではなく、その技術的範囲において他の様々な変形例が考えられる。
【００５６】
例えば、上記第２の実施形態においては、支保工受部材５２はプレキャストコンクリートとして製作されていたが、これに代えて、段床１０５の上に型枠を設置して、コンクリートを現場で打設することで、支保工受部材５２を形成してもよい。
また、上記各実施形態においては、柱は断面形状が円形の鋼管柱であったが、断面形状は矩形等他の形状を有していてもよい。
また、上記各実施形態においては、段床は図１３に示されるように、２段の階段が一体となるように形成されていたが、これに限られず、１段のものでもよいし、３段以上であってもよい。
また、上記第１の実施形態においては、図５に示される柱４Ａには予め下部支保工３０が接合されており、上部支保工３２を下部支保工上に接合したが、これに限られず、柱４Ａを立設した後に、下部支保工３０と上部支保工３２が一体とされた支保工部材を柱４Ａの上に接合してもよい。
【００５７】
これ以外にも、本発明の主旨を逸脱しない限り、上記実施の形態で挙げた構成を取捨選択したり、他の構成に適宜変更したりすることが可能である。
【符号の説明】
【００５８】
１              建築構造物（スタジアム）
２              グラウンド
３              基礎
４              柱
５              斜梁
６              屋根支持柱
７              屋根
８、５０        段床部
９              水平梁
１１            柱周辺カバー用段床
１２            内部空間
２０            段床受
２３            欠落部底板
２５            支保工周辺鋼板
２６            コンクリート止め鋼板
３０            下部支保工
３２            上部支保工（支保工）
３１            緩衝材
４０            第１打設部（コンクリート）
４１            第２打設部（コンクリート）
５１            支保工
５２            支保工受部材
１０５          段床
Ｓ              欠落部
【図１】
0006712139.tif 000002
【図２】
0006712139.tif 000003
【図３】
0006712139.tif 000004
【図４】
0006712139.tif 000005
【図５】
0006712139.tif 000006
【図６】
0006712139.tif 000007
【図７】
0006712139.tif 000008
【図８】
0006712139.tif 000009
【図９】
0006712139.tif 000010
【図１０】
0006712139.tif 000011
【図１１】
0006712139.tif 000012
【図１２】
0006712139.tif 000013
【図１３】
0006712139.tif 000014
【図１４】
0006712139.tif 000015